(57)【特許請求の範囲】
【請求項１】
上部に棚等が設けられる左右に離間した支柱への脚の取付構造であって、前記支柱の下部における左右側に係止孔を形成し、また、前記脚における支柱側の端部左右側に、前記係止孔に係止可能な係止爪をそれぞれ設けるとともに、前記脚の下部を前記支柱の下部面に当接可能に張り出し、この脚の下部を、固定手段を介して支柱に対して着脱自在に固定出来るようにしたものであって、前記脚の本体部を板材により中空状に構成するとともに、前記係止爪を前記本体部の左右の側板間に固着される係止部材に形成し、かつ、少なくとも左右一対の係止爪を前記側板の支柱側端面よりそれぞれ内向きに屈曲形成される屈曲片に形成される挿通孔より支柱側に突出させた状態で、前記係止部材を前記左右側板間に固着したことを特徴とする支柱への脚の取付構造。
【請求項２】
前記係止爪を上向きに形成した請求項１に記載の支柱への脚の取付構造。
【請求項３】
前記係止部材を、肉厚の板材により横断面略コ字状に形成するとともに、この左右の遊端面に前記係止爪を形成した請求項１または２に記載の支柱への脚の取付構造。
【請求項４】
前記係止部材の下部を、前記固定手段を介して支柱に取り付けてなる請求項１ないし３のいずれかに記載の支柱への脚の取付構造。
【発明の詳細な説明】
【０００１】
【発明の属する技術分野】
本発明は、上部に棚等が設けられる作業台等を構成する支柱への脚の取付構造に関する。
【０００２】
【従来の技術】
従来、作業スペースとしての天板や、適宜物品を載置可能な棚（図示略）等が設けられる作業台としては、例えば図５に示されるような、互いに離間する左右の支柱０１と、左右の支柱０１を支持する脚０２、０３とからなる作業台０４等がある。
【０００３】
このような作業台０４を構成する支柱０１を支持する脚０２、０３は、図６に示されるように、その端面を支柱０１の前後面に対して当接し、当接部を溶接等により固定して取り付けることが多い。
【０００４】
【発明が解決しようとする課題】
しかしながら、このように溶接により脚０２、０３を支柱０１に対して取り付ける場合、溶接作業が繁雑であるとともに、図６のように溶接部が外部に露呈して見映えが悪かった。
【０００５】
また、例えば支柱０１の上部に取り付ける天板０５や棚板（図示略）の数量やサイズを使用目的に応じて変更したい場合、それに対応して天板０５や棚板等を安全に支持出来るように支柱０１の脚０２、０３を取り替える必要があるが、溶接固定されている場合取り外しを容易に行えないため、支柱０１ごと取り替えなければならず、コストが嵩むといった問題があった。
【０００６】
本発明は、支柱に対する着脱が容易で、かつ、支柱を安定して支持することが出来る支柱への脚の取付構造を提供することを目的とする。
【０００７】
【課題を解決するための手段】
上記課題を解決するために、本発明の支柱への脚の取付構造は、上部に棚等が設けられる左右に離間した支柱への脚の取付構造であって、前記支柱の下部における左右側に係止孔を形成し、また、前記脚における支柱側の端部左右側に、前記係止孔に係止可能な係止爪をそれぞれ設けるとともに、前記脚の下部を前記支柱の下部面に当接可能に張り出し、この脚の下部を、固定手段を介して支柱に対して着脱自在に固定出来るようにしたものであって、前記脚の本体部を板材により中空状に構成するとともに、前記係止爪を前記本体部の左右の側板間に固着される係止部材に形成し、かつ、少なくとも左右一対の係止爪を前記側板の支柱側端面よりそれぞれ内向きに屈曲形成される屈曲片に形成される挿通孔より支柱側に突出させた状態で、前記係止部材を前記左右側板間に固着したことを特徴としている。この特徴によれば、係止爪を支柱の係止孔に係止した状態で、脚の下部が支柱の下部面に対して固定することで、係止孔内での係止爪の上下移動が規制され、係止爪の係止孔からの逸脱が防止されるため、脚が支柱に対して強固に固定される。また、固定手段を外して係止孔から係止爪を逸脱するだけで、脚の取り替えを容易に行える。更に脚の本体部の軽量化が図れるとともに、少なくとも左右一対の係止爪が挿通孔内に挿通されているため、万が一係止部材が脚本体部を構成する側板からはずれても、挿通孔と係止爪との係止作用により支柱の転倒が阻止されるため、安全性が確保される。
【０００８】
本発明の支柱への脚の取付構造は、前記係止片を上向きに形成したことが好ましい。
このようにすれば、支柱の上部に脚側へ傾こうとする負荷が加わった場合、係止爪と係止孔との係止作用が効果的に働くため、支柱が安定して支持される。
【００１０】
本発明の支柱への脚の取付構造は、前記係止部材を、肉厚の板材により横断面略コ字状に形成するとともに、この左右の遊端面に前記係止爪を形成したことが好ましい。
このようにすれば、強度の高い係止爪を容易に形成できるとともに、係止爪が脚の本体部の側面を構成する左右の側板の内側にそれぞれ形成されるため、取付け時において脚の本体部の側面と支柱の側面とを面一にすることが可能となる。
【００１１】
本発明の支柱への脚の取付構造は、前記係止部材の下部を、前記固定手段を介して支柱に取り付けてなることが好ましい。
このようにすれば、脚の本体部に加工を施すことなく、脚を支柱に取り付けることが出来る。
【００１２】
【発明の実施の形態】
以下、本発明の実施例を図面に基づいて説明する。本発明の実施例としての脚１は、図１、２に示されるように、左右側面、及び前面を構成する板部材２、３とから下向きコ字状に形成される脚１の本体部４と、この左右の板部材２、３の上面片２ａ、３ａを連結する連結板５と、本体部４の下面開口を閉塞する上向き略コ字状の閉塞部材６と、下面が床面Ｆに接地する接地部材７と、作業台を構成する支柱８（図３参照）の前後面における上下方向に複数形成される係止孔９に係止可能な上向きの係止爪１０が形成された係止部材１１とから構成される。
【００１３】
そして図２に示されるように、連結板５により互いの上面片２ａ、３ａの裏面をスポット溶接により連結するとともに、閉塞部材６、接地部材７、係止部材１１を左右の板部材２、３により狭持した状態で、これら各部材を側面から図中×印の箇所をスポット溶接することで、中空で軽量の脚１が形成されるようになっている。
【００１４】
係止部材１１は、板部材２、３より肉厚な板材により、基片１１ａ及びその両端縁から支柱８に向けて屈曲する側片１１ｂとから横断面略コ字状に形成され、本体部４における支柱側端部に上下方向を向くように固着される。この係止部材１１の下部は本体部４の下端より下方に垂下されており、その下部における基片１１ａには後述する固定用のネジ１２の挿通孔１３が形成されている。
【００１５】
係止爪１０の先端は全て上向きであり、２枚の側片１１ａの前端面にそれぞれ４箇所ずつ形成されている。その内、図中下から２番目の左右の係止爪１０ａは、図２、図４に示されるように板部材２、３の前端面所定箇所よりそれぞれ内向きに屈曲形成される屈曲片１４に形成された挿通孔１５内を挿通し、該挿通孔１５に係止された状態で、両板部材２、３の間に固着されている。
【００１６】
なお、この係止爪１０ａの基部における上下には、屈曲片１４の肉厚とほぼ同寸の深さを有する切欠部１６が形成されているため（図４参照）、板部材２、３間への取り付け時において、係止部材１１の前端面と板部材２、３の前端面とが面一になっている。
【００１７】
支柱８の下部における前面８ａの左右側には、図３に示されるように脚１の係止爪１０を係止可能な係止孔９が上下方向にそれぞれ複数形成されているとともに、最下位に位置する係止孔９のさらに下方には、裏面に脚１の固定手段としてのネジ１２が螺入可能なナット１７が固着された孔部１８が形成されている。なお、本実施例における係止孔９は、支柱の側面を構成する側板の肉厚分だけ前面８ａにおいて内寄りに形成されている
【００１８】
次に、このように構成される脚１の支柱８への取付方法及び取付時における作用を説明する。
【００１９】
脚１を支柱８の前面８ａに取り付ける場合、脚１を図３中矢印方向に移動して係止爪１０を係止孔９内に挿入し、図４に示されるように脚１全体を上方に移動させ、係止爪１０を係止孔９に対して確実に係止させる。この状態で、挿通孔１３とネジ孔１８とが合致するため、固定用のネジ１２を挿通孔１３を挿通してネジ孔１８のナット１７内に螺入し、締め付けることで、脚１を支柱８に対して取付出来る。
【００２０】
ネジ１２をネジ孔１８内に螺入することで、係止爪１０の係止孔９内における上下方向への移動が規制され、係止爪１０と係止孔９との係止状態が確実に保持される。
【００２１】
このように支柱８に取り付けられた脚１は、前端面の上下方向に構成される複数の係止爪１０と係止孔９との係止作用により取り付けられるとともに、この係止状態がネジ１２の螺入により保持されるため、支柱８に対して確実に取り付けられる。
【００２２】
なお、支柱８の前面８ａの下部に脚１を取り付けた後、特に図１に示される短寸の脚２０が支柱８の後面に取り付けられる。この脚２０は、特に図示しないが、脚１と同様の取付け構造を有しており、脚１と同様の取付方法にて支柱８の後面に取り付けられるようになっている。  このように取り付けられた脚１、２０における先端側の接地部材７の接地面が床面Ｆ上に設置されることで、支柱８が脚１、２０により安定して支持される。
【００２３】
また、本実施例における脚１の係止爪１０は上向きに形成されているため、支柱８の上部に前後方向への傾き力が働いた場合、係止爪１０と係止孔９との係止作用が効果的に働くため、支柱８が安定して支持される。
【００２４】
また、係止爪１０は板部材２、３の間に狭持される係止部材１１の側板１１ｂの前端面に形成されているので、板部材２、３よりも内側に形成されているとともに、また、支柱８の係止孔９は、側面を構成する側板の肉厚分、前面８ａにおける左右側端より内寄りに形成されているため、係止爪１０の係止孔９内への係止状態において、脚１の側面と支柱８の側面とが面一になり、見映えが向上する。
【００２５】
さらに、係止部材１１の係止爪１０ａが、板部材２、３の屈曲片１４に形成された挿通孔１５内を挿通しているため、万が一係止部材１１の側片１１ｂと板部材２、３の内面との溶接部に負荷が加わり、両者の溶接がはずれても、支柱８に対して取り付けられた係止部材１１の係止爪１０ａと挿通孔１５との係止作用により支柱８が支持されるため、安全性が確保される。
【００２６】
また、このように脚１を中空状に形成し、係止爪１０を別途係止部材１１に形成することで、脚１の軽量化が図れるとともに、係止部材１１を板材により構成することで、係止爪１０を容易に形成出来るばかりか、肉厚の板材を使用することで強度を高めることが出来る。なお、この係止部材１１を下方に垂下し、この下部にネジ１２挿通用の挿通孔１３を設けることで、脚１の本体部４に加工を施すことなく脚１を支柱８に取付出来る。
【００２７】
なお、脚１を仕様に応じて変更したい場合は、ネジ１２を外して係止爪１０と係止孔９との係止状態を解除すれば、脚１を支柱８から容易に取り外し出来るため、交換作業等を容易に行える。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、左右一対の係止爪１０は上下方向に複数形成されていてもよく、その数は任意である。また、係止爪１０は支柱８における係止孔９の下部に係止するように下向きに形成されていても良い。
【００３０】
固定手段はネジに限らず、その他種々の固定方法により脚１を支柱８に対して固定しても良い。
【００３１】
【発明の効果】
本発明は以下の効果を奏する。
【００３２】
（ａ）請求項１項の発明によれば、係止爪を支柱の係止孔に係止した状態で、脚の下部が支柱の下部面に対して固定することで、係止孔内での係止爪の上下移動が規制され、係止爪の係止孔からの逸脱が防止されるため、脚が支柱に対して強固に固定される。また、固定手段を外して係止孔から係止爪を逸脱するだけで、脚の取り替えを容易に行える。更に脚の本体部の軽量化が図れるとともに、少なくとも左右一対の係止爪が挿通孔内に挿通されているため、万が一係止部材が脚本体部を構成する側板からはずれても、挿通孔と係止爪との係止作用により支柱の転倒が阻止されるため、安全性が確保される。
【００３３】
（ｂ）請求項２項の発明によれば、支柱の上部に脚側へ傾こうとする負荷が加わった場合、係止爪と係止孔との係止作用が効果的に働くため、支柱が安定して支持される。
【００３５】
（ｃ）請求項３項の発明によれば、前記係止部材を、肉厚の板材により横断面略コ字状に形成するとともに、この左右の遊端面に前記係止爪を形成した。
【００３６】
（ｄ）請求項４項の発明によれば、脚の本体部に加工を施すことなく、脚を支柱に取り付けることが出来る。
【００３７】
【図面の簡単な説明】
【図１】本発明の脚を示す側面図である。
【図２】図１の要部拡大斜視図である。
【図３】支柱への脚の取付状態を示す斜視図である。
【図４】脚の取付状態を示す断面図である。
【図５】従来例を示す斜視図である。
【図６】同じく従来例としての脚の取付方法を示す断面図である。
【符号の説明】
１            脚
２、３        板部材
２ａ、３ａ    上面片
４            本体部
５            連結板
６            閉塞部材
７            接地部材
８            支柱
８ａ          前面
９            係止孔
１０、１０ａ  係止爪
１１          係止部材
１１ａ        基片
１１ｂ        側板
１２          ネジ（固定手段）
１３          挿通孔
１４          屈曲片
１５          挿通孔
１６          切欠部
１７          ナット
１８          ネジ孔
１８          孔部
２０          脚
Ｆ            床面
【図１】
0004177520.tif 000002
【図２】
0004177520.tif 000003
【図３】
0004177520.tif 000004
【図４】
0004177520.tif 000005
【図５】
0004177520.tif 000006
【図６】
0004177520.tif 000007